(57)【要約】【課題】本発明の目的は、火災通報を受けてから出動するまでの時間を短縮し速やかに出動することができる消防緊急応答装置を提供することにある。【解決手段】消防本部１０の通報受信者１が火災通報を受信すると消火活動に出動させる消防車輌２２ａ、２２ｂを指定する。消防車輌２２ａ、２２ｂは消防支所２０に配備されている。通報受信者１は支所情報端末２１に出動予告情報と出動指令書を送信すると共に、リモートスイッチ９によって消防車輌２２ａ、２２ｂの車載情報端末の電源をオン状態にする。【選択図】　図１
2004139216.tif 000002
【特許請求の範囲】
【請求項１】
火災通報を受信すると出動させる消防車輌を選択し火災対策情報を演算する情報演算装置と、前記選択された消防車輌の車載情報端末の電源を無線通信によってオン状態にするリモート操作手段と、電源のオン状態で作動状態にある前記車載情報端末に前記情報演算装置で求めた火災対策情報を送信する情報送信手段とを具備することを特徴とする消防緊急応答装置。
【請求項２】
消防本部で火災通報を受信すると、消防支所に配備されている出動させるべき消防車輌を選択し現地情報を含む火災対策情報を演算する情報演算装置と、前記選択された消防車輌の車載情報端末の電源を無線通信によってオン状態にする前記消防本部に設けられているリモート操作手段と、電源のオン状態で作動状態にある前記車載情報端末に前記情報演算装置で求めた火災対策情報を送信する情報送信手段とを具備することを特徴とする消防緊急応答装置。
【請求項３】
消防本部で火災通報を受信すると、消防支所に配備されている出動させるべき消防車輌を選択し現地情報を含む火災対策情報を演算する情報演算装置と、前記選択された消防車輌の車輌ＩＤを指定して車載情報端末の電源を無線通信によってオン状態にする前記消防本部に設けられているリモート操作手段と、電源のオン状態で作動状態にある前記車載情報端末に前記情報演算装置で求めた火災対策情報をネットワークを介して送信する情報送信手段とを具備することを特徴とする消防緊急応答装置。
【請求項４】
消防本部で火災通報を受信すると、消防支所に配備されている出動させるべき消防車輌を選択し現地情報を含む火災対策情報を演算する情報演算装置と、前記選択された消防車輌の車輌ＩＤを指定して車載情報端末の電源を無線通信によってオン状態にする前記消防本部に設けられているリモート操作手段と、前記消防支所の支所情報端末に出動車輌ＩＤを含む出動情報をネットワークを介して送信すると共に、電源のオン状態で作動状態にある前記車載情報端末に前記情報演算装置で求めた火災対策情報を前記ネットワークを介して送信する情報送信手段とを具備することを特徴とする消防緊急応答装置。
【請求項５】
消防本部で火災通報を受信すると、消防支所に配備されている出動させるべき消防車輌を選択し現地情報を含む火災対策情報を演算する情報演算装置と、前記選択された消防車輌の車輌ＩＤを指定して無線通信を行い車載情報端末の電源をオン状態にすると共に当該消防車輌のエンジンを始動させる前記消防本部に設けられているリモート操作手段と、前記消防支所の支所情報端末に出動車輌ＩＤを含む出動情報をネットワークを介して送信すると共に、電源のオン状態で作動状態にある前記車載情報端末に前記情報演算装置で求めた火災対策情報を前記ネットワークを介して送信する情報送信手段とを具備することを特徴とする消防緊急応答装置。
【発明の詳細な説明】
【０００１】
【発明の属する技術分野】
本発明は、消防署等に通報される火災通報の緊急通報に応答する消防緊急応答装置に関する。
【０００２】
【従来の技術】
【特許文献１】特開２００２−１０９６５８号公報
消防署では、火災通報や救急車出動依頼通報を電話で受信した際、迅速かつ的確に判断して対応する必要がある。従来は、消防署の指令室に待機した通報受信者が通報者の通報内容を確認しながら用紙に記入し、その結果を責任者が確認して消防車や救急車の出動を指令するようにしている。
【０００３】
ところが、火災発生という緊急事態においては通報者の気が動転し、誤った状況、場所等を話したりすることがある。通報受信者は通報者との間で応答を繰り返し、確認しながら筆記することになるので、非常に煩わしく、その対応時間が長くなったり、誤記したりするということもある。このことは、時に悪戯電話等もありその対応に苦慮しており、通報受信者の精神的負担を助長させている。
【０００４】
このようなことを解決するために、通報者からの通報に応答する通報受信者の音声を音声認識装置で認識し、その音声内容によって対応を演算処理して求めて音声で通報することが知られている。このことは、例えば、上述の特許文献１に記載されている。
【０００５】
一般に、火災通報は消防本部で受信して本部配備の消防車輌や支所配備の消防車輌を選択して消防車輌の出動隊を編成し、出動指令を出すようにしている。
また、消防本部は出動する消防車輌に出動指令情報と消防支援情報などの火災対策情報をネットワークを介して送信する。出動指令情報は火災発生地点、目標物、現場状況などであり、また、支援情報は建物情報、水利条件、危険物、地図などである。
【０００６】
消防車輌は搭載しているパーソナルコンピュータ（パソコン）などの車載情報端末で火災対策情報を受信して表示面に表示し確認してから出動することになる。車載情報端末は消防団員が消防車輌に乗車してから電源をオン状態にして作動状態に立上げて火災対策情報を取込むようにしている。また、消防車輌が駐車している車庫の商用電源を車載情報端末の電源としてバックアップすることも試みられている。
【０００７】
【発明が解決しようとする課題】
従来技術は、消防団員が出動準備をして消防車輌に乗車してから車載情報端末の電源をオン状態にして作動状態に立上げて火災対策情報を取込むようにしているで出動するのがその時間だけ遅れることになる。車載情報端末の電源をオン状態にして作動状態に立上げに１０秒程要し、また、火災対策情報を取込むのに５０秒程要するので、１分程度だけ出動するのが遅れることになる。
【０００８】
また、車庫の商用電源を車載情報端末の電源としてバックアップするにしてもコンセントの挿入忘れが多く、同様に出動が遅れるのを免れない。
【０００９】
火災の消火活動のように、一刻を争う緊急事態においては１分程度といえども無視できず火災通報を受けてから速やかに出動することができる消防緊急応答装置の開発が強く望まれている。
【００１０】
本発明の目的は、火災通報を受けてから出動するまでの時間を短縮し速やかに出動することができる消防緊急応答装置を提供することにある。
【００１１】
【課題を解決するための手段】
本発明の特徴とするところは、通報受信者が火災通報を受信し消火活動に出動させるべき選定した消防車輌の車載情報端末の電源をリモート無線操作によってオン状態にして立上げて作動状態にして火災対策情報を送信するようにしたことにある。
【００１２】
本発明の他の特徴とするところは、通報受信者が火災通報を受信し消火活動に出動させるべき選定した消防車輌の車載情報端末の電源をリモート無線操作によってオン状態にして立上げて作動状態にして火災対策情報を送信すると共に、当該消防車輌のエンジンをリモート無線操作によって始動させるようにしたことにある。
【００１３】
本発明は、出動させるべき指定した消防車輌の車載情報端末の電源をリモート無線操作によってオン状態にして立上げて作動状態にして火災対策情報を送信するようにしているので、消防団員が出動準備をして消防車輌に乗車すると車載情報端末によって火災対策情報を確認できるため火災通報を受けてから出動するまでの時間を短縮し速やかに出動することができる。
【００１４】
また、本発明は、出動させるべき指定した消防車輌の車載情報端末の電源をリモート無線操作によってオン状態にして立上げて作動状態にして火災対策情報を送信すると共に、当該消防車輌のエンジンをリモート無線操作によって始動させるようにしているので、消防団員が出動準備をして消防車輌に乗車してから発車するまでの時間をより一層短縮して速やかに出動することができる。特に、冬期や寒冷地おいてその効果が顕著になる。
【００１５】
【発明の実施の形態】
図１、図２に本発明の一実施例を示す。図１、２は通報者からの通報に応答する通報受信者の音声を音声認識装置で認識し、その音声内容によって対応を演算処理する例を示している。
【００１６】
図１において、消防本部１０の通報受信者１は図示しない通報者からの電話による緊急通報に対して送受信する通話ヘッドセット８を装着し、音声認識用マイク２を前にして消防署（消防本部）の管制室で待機している。管制室の概要は図２に示すように管制監視制御盤１４の前に通報受信者１が椅子に座り待機している。
【００１７】
音声認識装置３は火災、救急に関する各種の音声辞書を備え、通報者からの情報を認識する機能を有し、管制監視制御盤１４の内部に収納されている。音声辞書は、例えば、事例区分として火災、救急、発生場所として所轄内近辺のランドマーク、町名、通り名、通報情報として通報者名、住所、性別、電話番号等を認識するものである。
【００１８】
なお、音声認識装置３に格納されている音声辞書は、消防署が扱う火災と救急車出動に関するもののみであり、警察署で扱うような事件、事故等の膨大な情報と比べると、限られた範囲の少ない情報であり比較的小規模の容量のものとなる。
【００１９】
情報演算装置（情報制御計算機）４は、音声認識装置３からの情報に基づき、出動指令書への認識事項記入、出動指令逐次ガイダンスの自動生成、消防車輌８に送信する火災対策情報等の処理と表示監視装置１２に火災発生地（災害地）の地図と属性データを表示させる処理を実行する。
【００２０】
ガイダンス発声装置５は情報演算装置４の処理情報の要点をリアルタイムに消防署内にアナウンスする。アナウンスは消防本部１０内の所定場所に設置したスピーカ７によって行われる。また、スピーカ７は必要に応じて所轄支所、近隣消防署等に設置しておき、ガイダンス発声装置５からの情報が音声で発せられるようになっている。
【００２１】
情報通信装置６は情報演算装置４で求めた火災対策情報をネットワーク１１を介して消防支所２０に配備されている消防車輌２２ａ、２２ｂに対して送信し、また、消防車両２２ａ、２２ｂから送信される車輌情報を受信して情報演算装置４に加える。車輌情報は動態・位置情報と支援情報要求とがある。消防車輌２２ａ、２２ｂが配備されている消防支所２０には消防本部１０から送信される出動予告情報と出動指令書を受信する支所情報端末２１が設けられている。
【００２２】
音声認識装置３、情報演算装置４、ガイダンス発生装置５、情報通信装置６は管制監視制御盤１４の内部に収納されている。リモートスイッチ９は通報受信者１の操作によって消防車輌２２ａ、２２ｂに対して「車輌ＩＤとＯＮ指令」を無線で送信する。
【００２３】
表示監視装置１２は図２に示すように管制室に設置された管制監視制御盤１４に複数台の監視端末としてのパソコン（パーソナルコンピュータ）１５が載置されている。パソコン１５は通報受信者１の人数分だけ設置される。図２では一人の通報受信者１のみを示している。
【００２４】
管制監視制御盤１４の後方には大型表示装置１６が設置されている。大型表示装置１６は３つの大型表示面１６Ａ、１６Ｂ、１６Ｃを有し、例えば、大型表示面１６Ａにはパソコン１５の入力画面、大型表示面１６Ｂには火災発生地の地図、大型表示面１６Ｃには緊急車両２２ａ、２２ｂの動態と位置を監視するための車輌動態管理画面が表示される。なお、大型表示面１６Ａ、１６Ｂ、１６Ｃには、同時に複数の災害が発生した場合には災害地（災害発生地）の地図を表示することが優先するようにしている。
【００２５】
図３に消防車輌２２に搭載されている車載装置の一例構成を示す。
図３において、車載情報端末２３は電源操作部２６によって電源をオン状態にされる。電源操作部２６はリモートスイッチ９から当該車輌２２の「車輌ＩＤとＯＮ指令」を入力すると車載情報端末２３の電源をオン状態にする。
【００２６】
車載情報端末２３は情報通信部２４から火災対策情報を入力し、ＧＰＳ受信機２５から位置情報（ＧＰＳ座標データ）を入力する。また、車載情報端末２３は車輌情報（動態・位置情報と支援情報要求）を情報通信部２４から情報演算装置４に送信する。エンジン始動部（エンジンキー）２７はリモートスイッチ９から当該車輌２２の「車輌ＩＤとＯＮ指令」を入力すると当該車輌２２のエンジンを始動しる。
【００２７】
次に動作を説明する。
通報者から１１９番通報がなされると、通報受信者１が通話ヘッドセット１０で受信し、「火災ですか救急ですか」と問うと、通報者は「火災です」と答える。通報受信者１は「火災受信」と発声すると、これが音声認識用マイク２を介して音声認識装置３に入力される。
【００２８】
音声認識装置３は内部に格納されている音声辞書から「火災発生」を引き出し、情報演算装置４に入力する。情報演算装置４は、出動指令書にこれを記入すると同時に、ガイダンス発声装置５に入力することにより、「火災発生」が署内スピーカ７を介して音声で発せられる。
【００２９】
次いで通報受信者１が「場所はどこですか、何が見えますか」と通報者から場所を聞き出す言葉で問うと「平成体育館」と答える。通報受信者１は「平成体育館」と発声すると、音声認識装置３の辞書より平成体育館の所在地である平成町と火災発生とを組み合わせ、「平成町で火災発生」を引き出し、前述と同様に署内スピーカ７で「平成町で火災発生」と発声される。
【００３０】
以下、通報者の名前、電話番号等が聞き出され、情報演算装置４は所定の処理を行い出動指令書に記入された認識事項が所定の出動指令条件を満たしたかを確認する。
【００３１】
通報受信者１は火災発生地点を確認すると出動させるべき消防車輌の出動隊を編成する。通常、出動させるべき消防車輌は火災発生地点に最寄りの消防支所に配備されている消防車輌が指定される。
【００３２】
通報受信者１は、例えば消防支所２０に配備されている消防車輌２２ａ、２２ｂを出動車輌に指定したとする。通報受信者１はパソコン１５を操作して消防支所２０の支所情報端末２１にネットワーク１１を介して出動予告情報と出動指令情報を送信する。
【００３３】
出動予告情報は火災発生入電情報と出動車輌ＩＤなどであり、また、出動指令情報は情報演算装置４で作成した出動指令書と消防支援情報などである。消防支援情報には火災が発生した建物情報、水利条件、危険物、地図などがある。消防支所２０では出動予告情報を受信すると、消防団員の出動準備が行われる。
【００３４】
一方、通報受信者１は、消防支所２０に配備されている消防車輌２２ａ、２２ｂを出動車輌に指定すると、リモートスイッチ９を操作して最初に消防車輌２２ａの「車輌ＩＤとＯＮ指令」を入力する。リモートスイッチ９は消防車輌２２ａの「車輌ＩＤとＯＮ指令」を無線で送信する。
【００３５】
消防車輌２２ａの電源操作部２６はリモートスイッチ９からの「車輌ＩＤとＯＮ指令」を受信すると車載情報端末２３の電源をオン状態にする。車載情報端末２３は電源のオン状態によって立上げられ１０秒程度で作動状態になる。また、消防車輌２２ａのエンジン始動部（エンジンキー）２７はリモートスイッチ９からの「車輌ＩＤとＯＮ指令」を入力すると当該車輌２２ａのエンジンを始動させる。
【００３６】
次に、通報受信者１はリモートスイッチ９を操作して消防車輌２２ｂの「車輌ＩＤとＯＮ指令」を入力する。消防車輌２２ｂの車載情報端末２３は消防車輌２２ａと同様に立上げられて作動状態になり、また、消防車輌２２ｂのエンジンも始動される。
【００３７】
通報受信者１は消防車輌２２ａ、２２ｂの車載情報端末２３が作動状態になるとパソコン１５を操作して火災対策情報（出動指令情報と消防支援情報）をネットワーク１１を介して消防車輌２２ａ、２２ｂの車載情報端末２１に送信する。出動指令情報は火災発生地点、目標物、現場状況などであり、また、消防車輌２２ａ、２２ｂの車載情報端末２３に送信される消防支援情報には消防支所２０の支所情報端末２１に送信される消防支援情報の他に詳細地図なども含まれる。
【００３８】
このように出動する消防車輌２２ａ、２２ｂの車載情報端末２１に火災対策情報を送信して、消防支所２０の消防団員が出動準備をして消防車輌２２ａ、２２ｂに乗車すると車載情報端末２３によって火災対策情報を即座に確認することができる。したがって、火災通報を受けてから出動するまでの時間を短縮し速やかに出動することができる。
【００３９】
消防車輌２２ａ、２２ｂが出動すると、車載情報端末２３はＧＰＳ受信機２５から位置情報（ＧＰＳ座標データ）を入力し、車輌情報（動態・位置情報と支援情報要求）を情報通信部２４から消防本部１０の情報演算装置４に送信する。動態情報は待機中、出動中、現地到着、消火活動開始、消火活動終了などであり、また、位置情報はＧＰＳ位置情報である。
【００４０】
通報受信者１は車載情報端末２３の車輌情報を車輌動態管理画面１６Ｃで監視しながら出動した消防車輌２２ａ、２２ｂに出動後においても消防本部１０から火災対策情報を送信する。したがって、例えば出動後に火災が鎮火、あるいは規模が小さくなった場合には、消防車輌数を減らしたり、同時刻に別の場所で火災が発生して応援が必要となった場合等に、迅速に対応したりすることができる。また、万一、誤報や悪戯による誤出動に対しても即座に引き返すこともできる。
【００４１】
図４にパソコン１５の火災地地図を表示するための機能ブロック図を示す。
図４において、情報演算装置４の処理情報（火災発生地地図表示情報）は入力判定部３１に入力される。入力判定部３１は火災発生地地図表示情報が火災発生地の属性情報の場合は属性検索部３２に加え、また、地図表示情報の場合には図形検索部３３に加える。
【００４２】
ファイル３４には図形（地図）データと属性データが格納されており、図形検索部３３または属性検索部３２に取込まれる。属性検索部３２で検索された属性データと図形検索部３３で検索された地図データは表示編集部３５により編集され、表示制御部３６によって表示面３７に表示される。表示面３７にはアイコン３８も表示されている。
【００４３】
通報者から１１９番通報がなされると、通報受信者１が通話ヘッドセット８で受信し、「火災ですか救急ですか」と問うと、通報者は「火災です」と答える。通報受信者１は「火災受信」と発声すると、これが音声認識用マイク２を介して音声認識装置３に入力される。この動作は上述したとおりである。
【００４４】
通報受信者１は通報者の氏名、住所、電話番号を聞き、図５に示すように氏名の「平成　太郎」と住所、電話番号を発声する。音声認識装置３は音声辞書より通報者を特定し情報演算装置４に加える。情報演算装置４は所定の処理を実行して火災発生地地図表示情報を表示監視装置１２に与える。
【００４５】
パソコン１５の入力判定部２１は情報演算装置４から火災発生地の地図表示情報（属性データ）を入力すると属性検索部３２に通報者の属性を検索する指示を与える。通報者の属性検索には主として住所がキーワードとして用いられる。属性検索部３２は通報者「平成　太郎」の属性データをファイル３４から検索し取込む処理を実行する。
【００４６】
属性検索部３２はファイル３４から取込んだ属性データを図形検索部３３と表示編集部３５に与える。表示編集部３５に与えられた属性データは編集され、表示制御部３６によって表示面３７に図５のように表示される。通報受信者１は図５の画面を見て通報者情報に間違いないことを確認して確認情報（地図表示指令）を入力する。通報受信者１は音声またはパソコン１５の入力装置から確認情報地図表示指令）つまり地図検索指令を入力する。
【００４７】
入力判定部３１は地図検索指令を入力すると図形検索部３３に通報者の属性に基いた地図データを検索する指示を与える。図形検索部３３は通報者「平成　太郎」の属性データに基いた地図データをファイル３４から検索し取込む処理を実行する。
【００４８】
図形検索部３３に取込まれた地図データは表示編集部３５で編集され、表示制御部３６によって表示面３７に図６に示すように表示される。通報者である「平成　太郎」の家枠は、表示面３７のほぼ中心位置に表示され、通常、フリッカーや色替えなどの強調表示が行われる。
【００４９】
このようにして火災発生地（災害地）の地図を表示するのであるが、パソコン１５の表示面３７に表示された地図と同じ地図が大型表示装置１６の大型表示面１６Ｂにも表示される。大型表示装置１６の大型表示面１６Ｂに災害地の地図を表示すると、複数の通報受信者１に火災発生地（災害地）の情報を共有することができる。
以上は通報者の属性から地図を表示しているが、目的物からも同様に地図を表示することができる。
【００５０】
例えば、図７に示すような地形の「昭和通り」を通行していた通報者がＢＢ公園で火災が発生していることを発見し、携帯電話で通報したとする。携帯電話による通報によってパソコン１５の表字面３７には「ＢＢ公園」が表示され、次に、通報受信者１の確認により図７に示す目的物に基づく地図が表示される。
【００５１】
このようにして消防緊急通報に対応するのであるが、出動させるべき指定した消防車輌２２の車載情報端末２３の電源をリモート無線操作によってオン状態にして立上げて作動状態にして火災対策情報を送信するようにしているので、消防団員が出動準備をして消防車輌２２に乗車すると車載情報端末２３によって火災対策情報を確認できるため火災通報を受けてから出動するまでの時間を短縮し速やかに出動することができる。
【００５２】
また、出動させるべき指定した消防車輌２２の車載情報端末２３の電源をリモート無線操作によってオン状態にして立上げて作動状態にして火災対策情報を送信すると共に、当該消防車輌２２のエンジンをリモート無線操作によって始動させるようにしているので、出動するまでの時間をより一層短縮して速やかに出動することができる。特に、冬期や寒冷地おいてその効果が顕著になる。
【００５３】
さらに、通報者と通報受信者１との音声による応答内容からキーワードを音声認識し対応を演算処理して求めているので、通報受信者１は通報者との応答を音声で行うのみで済み、筆記する必要がなくなるため、負担を軽減することができるとともに、迅速かつ的確な緊急対応が可能となる。
【００５４】
また、通報受信者１が監視するパソコン１５に火災発生地（災害地）の地図を表示しているので、火災発生地までの道路を適切に指示できるため火災発生地への到着時間を短くできる。
【００５５】
図８に本発明の他の実施例を示す。図８の実施例はリモートスイッチ９を消防支所２０に設けたものである。
【００５６】
支所情報端末２１を監視している監視員が出動予告情報（火災発生入電情報と出動車輌ＩＤ）と出動指令情報を受信すると、出動させるべき消防車両２２ａ、２２ｂの車載情報端末２３の電源をオン状態にすると共にエンジンも始動させるようにする。
【００５７】
図８の実施例においても図１の実施例と同様に迅速かつ的確な緊急対応が可能となる。
【００５８】
このようにして消防緊急通報に対応するのであるが、出動させるべき選択（指定）した消防車輌の車載情報端末の電源をリモート無線操作によってオン状態にして立上げて作動状態にして火災対策情報を送信するようにしているので、消防団員が出動準備をして消防車輌に乗車すると車載情報端末によって火災対策情報を確認できるため火災通報を受けてから出動するまでの時間を短縮し速やかに出動することができる。
【００５９】
また、出動させるべき指定した消防車輌の車載情報端末の電源をリモート無線操作によってオン状態にして立上げて作動状態にして火災対策情報を送信すると共に、当該消防車輌のエンジンをリモート無線操作によって始動させるようにしているので、出動するまでの時間をより一層短縮して速やかに出動することができる。特に、冬期や寒冷地おいてその効果が顕著になる。
【００６０】
なお、上述の実施例は通報者からの通報に応答する通報受信者の音声で火災発生通報を確認するようにしているが、通報者からの火災発生通報によって緊急応答するものであっても良いことは勿論のことである。
【００６１】
また、上述の実施例は消防車輌が一個所の消防支所に配備されている例を示しているが、複数の消防支所に配備されている消防車輌であっても同様にして行え、また、消防本部に配備されて消防車輌でも良いことは明らかなことである。
【００６２】
さらに、上述の実施例は消防署への緊急通報を例に挙げ説明したが、市町村や民間企業で所有する消防車輌などの出動要請についても同様に適用できることは勿論のことである。
【００６３】
【発明の効果】
本発明によれば、出動させるべき指定した消防車輌の車載情報端末の電源をリモート無線操作によってオン状態にして立上げて作動状態にして火災対策情報を送信するようにしているので、消防団員が出動準備をして消防車輌に乗車すると車載情報端末によって火災対策情報を確認できるため火災通報を受けてから出動するまでの時間を短縮し速やかに出動することができる。
【００６４】
また、本発明は、出動させるべき指定した消防車輌の車載情報端末の電源をリモート無線操作によってオン状態にして立上げて作動状態にして火災対策情報を送信すると共に、当該消防車輌のエンジンをリモート無線操作によって始動させるようにしているので、消防団員が出動準備をして消防車輌に乗車し車載情報端末によって火災対策情報を確認して即座に発車できるため出動するまでの時間をより一層短縮して速やかに出動することができる。特に、冬期や寒冷地おいてその効果が顕著になる。
【図面の簡単な説明】
【図１】本発明の一実施例を示す構成図である。
【図２】図１の実施例の表示監視装置の一例を示す構成図である。
【図３】図１の実施例の車載装置の一例を示す構成図である。
【図４】図１の実施例の火災発生位置表示装置の一例を示す構成図である。
【図５】本発明を説明するための表示画面の一例図である。
【図６】本発明を説明するための表示画面の一例図である。
【図７】本発明を説明するための表示画面の一例図である。
【図８】本発明の他の実施例を示す構成図である。
【符号の説明】
１…通報受信者、２…音声認識用マイク、３…音声認識装置、４…情報演算装置、５…ガイダンス発声装置、６…情報通信装置、７…スピーカ、８…通話ヘッドセット、９…リモートスイッチ、１０…消防本部、１１…ネットワーク、１２…表示監視装置、２０…消防支所、２１…支所情報端末、２２…消防車輌。
【図１】
2004139216.tif 000003
【図２】
2004139216.tif 000004
【図３】
2004139216.tif 000005
【図４】
2004139216.tif 000006
【図５】
2004139216.tif 000007
【図６】
2004139216.tif 000008
【図７】
2004139216.tif 000009
【図８】
2004139216.tif 000010